(57)【要約】【課題】MPEG2-PSの記録再生を行うDVD-VR規格の光ディスクへ、HD_DVD-VR規格で記録されたコンテンツを再エンコードせずにそのままコピーできる仕組みを提供する。【解決手段】HD_DVD-VR規格で記録されたコンテンツのうちそのエンコードに用いた転送レートが10.08Mbps以下のMPEG2-PSが存在することをprogram_mux_rateが示すときは（ＳＴ２０イエス、ＳＴ３６イエス）、そのMPEG2-PSを、DVD-VR規格の光ディスクへ、再エンコードせずに元のエンコードに用いられた転送レート（例えば4.6Mbps）以上のレートで高速コピーする（ＳＴ３８）。【選択図】  図１６
2007272994.tif 000002
【特許請求の範囲】
【請求項１】
最大転送レートが第1の所定値以下に制限される第1のデジタルレコーディング規格または最大転送レートが前記第1の所定値より大きい第２の所定値以下に制限される第２のデジタルレコーディング規格に従いオーディオビデオコンテンツをエンコードしたプログラムストリームが、前記最大転送レートおよび前記第２のデジタルレコーディング規格のうちの少なくとも１つに関係する特定情報を伴う場合に、前記第１のデジタルレコーディング規格による記録再生が可能な情報記憶媒体に前記プログラムストリームを記録する方法において、
前記第２のデジタルレコーディング規格で記録された前記オーディオビデオコンテンツのうちそのエンコードに用いた転送レートが前記第1の所定値以下のプログラムストリームが存在することを前記特定情報が示すときは、転送レートが前記第1の所定値以下の前記プログラムストリームを、前記情報記憶媒体へ、再エンコードせずに元のエンコードに用いられた転送レート以上のレートで書き込むように構成した記録方法。
【請求項２】
前記プログラムストリームはパック単位で記録され、前記特定情報はそのパックのヘッダに記述され、前記第1の所定値は10.08Mbpsであり、前記書き込みがなされる場合、前記パックのヘッダに記述される前記特定情報が10.08Mbpsを示す状態のままとされる請求項１に記載の記録方法。
【請求項３】
前記特定情報は前記プログラムストリームの転送レートおよび／または前記オーディオビデオコンテンツの属性情報を含むエンコードパラメータを持ち、前記転送レートおよび前記エンコードパラメータが前記第1のデジタルレコーディング規格に合致するときに、前記第２のデジタルレコーディング規格に準拠した情報記憶媒体に記録を行う場合は、前記特定情報を10.08Mbpsとして前記オーディオビデオコンテンツのエンコードを行う請求項２に記載の記録方法。
【請求項４】
最大転送レートが第1の所定値以下に制限される第1のデジタルレコーディング規格または最大転送レートが前記第1の所定値より大きい第２の所定値以下に制限される第２のデジタルレコーディング規格に従いオーディオビデオコンテンツをエンコードしたプログラムストリームが、前記最大転送レートおよび前記第２のデジタルレコーディング規格のうちの少なくとも１つに関係する特定情報を伴う場合に、前記第１のデジタルレコーディング規格による記録再生が可能な情報記憶媒体に前記プログラムストリームを記録する方法において、
前記第２のデジタルレコーディング規格で記録された前記オーディオビデオコンテンツのうちそのエンコードに用いた転送レートが前記第1の所定値を超えるプログラムストリームが存在することを前記特定情報が示すときは、転送レートが前記第1の所定値を超える前記プログラムストリームを、前記情報記憶媒体へ書き込まない、あるいはこのプログラムストリームのオブジェクトデータを書き込んだとしてもその管理情報は前記情報記憶媒体に書き込まないように構成した記録方法。
【請求項５】
請求項１ないし請求項３のいずれか１項に記載の記録方法で用いられる前記情報記憶媒体に前記プログラムストリームを記録する装置であって、
前記第２のデジタルレコーディング規格で記録された前記オーディオビデオコンテンツのうちそのエンコードに用いた転送レートが前記第1の所定値以下のプログラムストリームが存在することを前記特定情報が示す場合を検出する検出部と、
前記第1の所定値以下のプログラムストリームが存在することを前記前記検出手段が検出したときは、転送レートが前記第1の所定値以下の前記プログラムストリームを、前記情報記憶媒体へ、再エンコードせずに元のエンコードに用いられた転送レート以上のレートで書き込む書込部を具備した記録装置。
【請求項６】
最大転送レートが第1の所定値以下に制限される第1のデジタルレコーディング規格または最大転送レートが前記第1の所定値より大きい第２の所定値以下に制限される第２のデジタルレコーディング規格に従いオーディオビデオコンテンツをエンコードしたプログラムストリームが、前記最大転送レートおよび前記第２のデジタルレコーディング規格のうちの少なくとも１つに関係する特定情報を伴う場合に、前記第１のデジタルレコーディング規格による前記プログラムストリームの記録再生が可能な情報記憶媒体であって、
前記情報記憶媒体が、前記オーディオビデオコンテンツの前記プログラムストリームをパック単位で記録するオブジェクト記録領域と、前記オブジェクト領域に記録された前記オーディオビデオコンテンツを管理する管理情報を記録する管理情報記録領域を持ち、
前記プログラムストリームのパックが、前記第1の所定値および前記第２の所定値のいずれか一方が記述されるエリアを含む情報記憶媒体。
【請求項７】
前記管理情報が、前記第1のデジタルレコーディング規格と前記第２のデジタルレコーディング規格とを識別する識別情報を含む請求項６に記載の情報記憶媒体。
【請求項８】
請求項６または請求項７に記載の情報記憶媒体に前記プログラムストリームを記録する装置であって、
前記オブジェクト記録領域に前記オーディオビデオコンテンツの前記プログラムストリームをパック単位で記録するオブジェクト記録部と、
前記管理情報記録領域に前記管理情報を記録する管理情報記録部を備えた記録装置。
【請求項９】
請求項６または請求項７に記載の情報記憶媒体に記録された前記プログラムストリームを再生する装置であって、
前記管理情報記録領域から前記管理情報を再生する管理情報再生部と、
前記オブジェクト記録領域から前記オーディオビデオコンテンツを再生し、再生されたコンテンツに対応するオーディオビデオ出力を提供するオブジェクト再生部を備えた再生装置。
【発明の詳細な説明】
【技術分野】
【０００１】
この発明は、ＭＰＥＧプログラムストリーム（MPEG2-PS等）を複数種類の最大転送レートのいずれかで記録する方法、装置、あるいは媒体に関する。具体的には、最大ビットレートが相対的に低い低レート規格（例えば最大レートが10.08MbpsのDVD-VR規格）と最大ビットレートが相対的に高い高レート規格（例えば最大レートが30.24MbpsのHD_DVD-VR規格）のいずれにも対応したビデオレコーダにおいて、高レート規格（HD_DVD-VR）で記録されたコンテンツのうちMPEG2-PSで記録されたビデオオブジェクト（VOB）であって最大ビットレートが低レート規格（DVD-VR）でカバーできるものは、高レート規格（HD_DVD-VR）で記録されたものであっても、低レート規格（DVD-VR）の媒体（光ディスク、ハードディスク等）に、高速コピーまたは高速ダビング（再エンコードせずにレートアップしてそのままの内容でコピーする処理）を行う技術に関する。
【背景技術】
【０００２】
現在、ＴＶ放送番組等のコンテンツをＮＴＳＣレベルの画質で記録再生する映像機器として、ＤＶＤビデオレコーディング（DVD-VR）規格に基づくデジタルレコーダが広く普及している。また、高精細デジタル放送の開始に伴い、デジタル放送番組のコンテンツを高精細画質で記録再生するする映像機器として、高精細ＤＶＤビデオレコーディング（HD_DVD-VR）規格に基づくデジタルレコーダの普及が始まろうとしている。
【０００３】
これから開発され普及するであろう高精細ＤＶＤビデオレコーダの多くは、青紫色レーザ（405nm）を用いたHD_DVD-VR規格に基づく記録再生とともに、赤色レーザ（650nm）を用いた従来のDVD-VR規格に基づく記録再生も可能に構成されることが予想される。この両規格による記録再生は、光ディスクだけでなく、ハードディスクやフラッシュメモリ等を用いても可能であるが、一般的には光ディスクを用いた記録再生が主体となると考えられる。
【０００４】
青紫色レーザ（405nm）を用いたHD_DVD-VR規格に基づく記録再生に用いる光ディスク（HD_DVD-R/RW/RAM）と赤色レーザ（650nm）を用いた従来のDVD-VR規格に基づく記録再生に用いる光ディスク（DVD-R/RW/RAM）では、ディスク自体が異なるため、通常は、DVD-VR規格の光ディスク（DVD-R/RW/RAM）にHD_DVD-VR規格に基づくコンテンツを記録することはできない。しかしながら、HD_DVD-VR規格は、デジタル放送のMPEG2-TSをストリーム記録すること以外にMPEG2-PSの記録再生もサポートしている。そのため、MPEG2-PSの記録再生を行うDVD-VR規格の光ディスクへ、HD_DVD-VR規格で（例えばハードディスクに）記録されたコンテンツを再エンコードせずにそのままコピー（この場合は高速コピーあるいは高速ダビングが可能）する仕組みを提供できれば、ユーザ便宜を図ることができる。
【０００５】
上記仕組みに関連する技術として、例えば特許文献１に開示されたものがある。特許文献１では、ハードディスクドライブ（ＨＤＤ）への記録時に記録対象のデータレートを調べる。そして、ＨＤＤからＤＶＤディスクへコピーするときに、ＨＤＤへの記録時に調べたデータレートに基づき、例えば20Mbpsを越えない場合はそのままコピーし、20Mbps以上の場合は一度アナログビデオ信号にデコードしてそれを20Mbps以下に再エンコードして記録するようにしている。これにより、ビットレートの異なる画像情報に対して、画質劣化の少ないデータをＤＶＤメディアに保存可能としている。
【０００６】
特許文献１の開示を従来のDVD-VR規格（規格で許される最大ビットレートは10.08Mbps）に当てはめてみると、次のようになる。すなわち、ＨＤＤに保存した高精細録画タイトルを従来のDVD-VR規格の情報記憶媒体にダビングする際、そのタイトル内のオブジェクトの最大ビットレートが10.08Mbpsを超える場合には、再エンコードを行うことでDVD-VR規格違反となることを避ける。また、再エンコードしたオブジェクトの最大ビットレートを管理情報に記録する。
【特許文献１】特開２００４−２５３０５２号公報
【発明の開示】
【発明が解決しようとする課題】
【０００７】
特許文献１からは、高精細録画タイトルを従来のDVD-VR規格の情報記憶媒体にコピーする場合において、どのような条件下なら再エンコードなしの高速コピー（高速ダビング）を具現できるのかが分からない。
【０００８】
この発明の課題の１つは、MPEG2-PSの記録再生を行う下位規格（DVD-VR規格）の情報記憶媒体（光ディスク）へ上位規格（HD_DVD-VR規格）で記録されたコンテンツを再エンコードせずにそのままコピーする仕組みを提供することである。
【課題を解決するための手段】
【０００９】
この発明の一実施の形態に係る記録方法は、最大転送レートが第1の所定値（10.08Mbps）以下に制限される第1のデジタルレコーディング規格（DVD-VR）または最大転送レートが前記第1の所定値より大きい第２の所定値（30.24Mbps）以下に制限される第２のデジタルレコーディング規格（HD_DVD-VR）に従いオーディオビデオコンテンツをエンコードしたプログラムストリーム（MPEG2-PS）が、前記最大転送レート（10.08Mbpsまたは30.24Mbps）および前記第２のデジタルレコーディング規格（HD_DVD-VR）のうちの少なくとも１つに関係する特定情報（Pack Header内のprogram_mux_rate、管理情報内のV_ATR中の解像度情報等）を伴う場合に、前記第１のデジタルレコーディング規格（DVD-VR）による記録再生が可能な情報記憶媒体（HDDあるいはDVD-VRディスク）に前記プログラムストリームを記録する方法である。
【００１０】
この方法では、前記第２のデジタルレコーディング規格（HD_DVD-VR）で記録された前記オーディオビデオコンテンツのうちそのエンコードに用いた転送レートが前記第1の所定値以下のプログラムストリーム（DVD-VRで扱えるMPEG2-PS）が存在することを前記特定情報（program_mux_rate、V_ATR等）が示すときは（ＳＴ２０イエス、ＳＴ３６イエス）、転送レートが前記第1の所定値以下の前記プログラムストリーム（DVD-VRで扱えるMPEG2-PS）を、前記情報記憶媒体へ、再エンコードせずに元のエンコードに用いられた転送レート（例えば4.6Mbps）以上のレート（例えば８倍速）で書き込む（ＳＴ３８）。
【００１１】
別の言い方で具体例を挙げれば、HD_DVD-VR規格に従いエンコードされたストリームであっても、DVD-VR規格の範囲内のストリームの場合は、管理情報ではなくストリーム内のPack Headerに記載されるprogram_mux_rateの値に、最大転送レートが「10.08Mbpsである」旨を記載する。DVD-VR規格の場合もHD_DVD-VR規格の場合も、このprogram_mux_rateの値には固定値が記載される。しかし、ここが一定不変の固定値であると、ストリームの本来のビットレートを求めることが難しい（時時刻刻と変化する可変レートで動画情報をMPEGエンコードするので、最大レートを実際のストリームから検知するのは容易でない）。そこで、たとえHD_DVD-VR規格に従いエンコードされたストリームであっても、DVD-VR規格に納まるMPEG2-PSのストリームである場合は、program_mux_rateにはHD_DVD-VR規格の規定値である30.24Mbpsとは書かずに、DVD-VR規格上の値である10.08Mbpsと記載する。こうすることで、両者（HD_DVD-VR規格上で最大10.08Mbps以下のMPEG2-PSストリームとHD_DVD-VR規格上で最大30.24Mbps以下のMPEG2-PSストリーム）の区別が容易に行えるようにしている。（なお、program_mux_rateの記述場所には、10.08Mbpsまたは30.24Mbpsといった、２種類以上の転送レート値のいずれか１つを記載することができるようにしている。）
【発明の効果】
【００１２】
MPEG2-PSの記録再生を行うDVD-VR規格の情報記憶媒体（光ディスク等）へHD_DVD-VR規格で記録されたコンテンツを再エンコードせずにそのままビットコピー（この場合は高速コピーあるいは高速ダビングが可能）する仕組みが得られる。
【００１３】
あるいは、HD_DVD-VR規格でエンコードまたは記録されたコンテンツのうち、従来のDVD-VR規格と互換性があるものと互換性が無いものの区別が容易になる。
【発明を実施するための最良の形態】
【００１４】
以下、図面を参照してこの発明の種々な実施の形態を説明する。図１は、この発明の一実施の形態に係るデータ構造を説明する図である。RecordableあるいはRe-writableな情報記憶媒体の代表例として、ＤＶＤディスク（波長650nm前後の赤色レーザあるいは波長405nm以下の青紫ないし青色レーザを用いた、単記録層または複数記録層の、ＤＶＤ±Ｒ、ＤＶＤ±ＲＷ、ＤＶＤ−ＲＡＭ等）１００がある。このディスク１００は、図１に示すように、ファイルシステムが入っているボリューム／ファイル構造情報領域１１１とデータファイルを実際に記録するデータ領域１１２を含んで構成されている。上記ファイルシステムは、どのファイルがどこに記録されているかを示す情報で構成されている。
【００１５】
データ領域１１２は、一般のコンピュータが記録する領域１２０、１２２と、オーディオビデオデータ（ＡＶデータ）を記録する領域１２１を含んでいる。ＡＶデータ記録領域１２１は、ＡＶデータの管理をするためのビデオマネージャファイル（VMGまたはHDVR_MG）があるＡＶデータ管理情報領域１３０と、DVD-Video（ROM Video）規格に準じたオブジェクトデータのファイルが記録されるROM_Videoオブジェクト群記録領域１３１と、ビデオレコーディング（ＶＲ）規格に準じたオブジェクトデータ（ESOBS：Extended Video Object Set）のファイル（ＶＲＯファイル）が記録されるＶＲオブジェクト群記録領域１３２と、デジタル放送に対応したオブジェクトが記録されているストリームオブジェクトデータ（ESOBS：Extended Stream Object Set）ファイル（ＳＲＯファイル）が記録される記録領域１３３を含んで構成されている。なお、ＳＲＯファイルのためのレコーディング規格は、適宜、ストリームレコーディング（ＳＲ）規格と表記する。
【００１６】
図２は、この発明の一実施の形態に係るファイル構造を説明する図である。DVD_HDVRディレクトリは、図２に示すように、HD_DVD-VRフォーマットの管理情報ファイルであるHR_MANGER.IFO、アナログビデオ入力のオブジェクトファイルであるＶＲＯファイル（最大レートが30.24Mbpsまで許されたEVOBファイル）を含むHDVR_VOBディレクトリ、デジタル放送対応用のＳＲＯファイル（ESOBファイル）を含むHDVR_SOBディレクトリ等を含んで構成されている。また、DVD_HDVRディレクトリと同じルートディレクトリ下のDVD_RTAVディレクトリは、DVD-VRフォーマットの管理情報ファイルであるVR_MANGER.IFO、アナログビデオ入力のオブジェクトファイルであるＶＲＯファイル（最大レートが10.08Mbpsに抑えられた従来DVD-VRのVOBファイル）等を含んで構成されている。
【００１７】
つまり、この実施の形態に係るファイル構造では、HDVRのMPEG2-TSデータファイルもHDVRのMPEG2-PSデータファイルもVRのMPEG2-PSデータファイルも同じルートディレクトリ下でファイル管理されている。例えば、HR_MOVIE.VROにリンクされたショートカットファイルをタイトルサムネールＡ、Ｃとし、VR_MOVIE.VROにリンクされたショートカットファイルをタイトルサムネールＢとし、HR_STRnn.SROにリンクされたショートカットファイルをタイトルサムネールＤとすれば、これらのタイトルサムネールＡ〜Ｄを同じメニュー画面上に表示することができる（図１５のモニタ画面５２ａの表示例参照）。これにより、ユーザは、別々のオブジェクト（MPEG2-PS、MPEG2-TSが混在するオブジェクト）を同じ画面操作環境でメニュー操作できるようになる。
【００１８】
図３は、この発明の一実施の形態に係る管理情報（HDVR_MG）の構成例を説明する図である。管理情報であるHDVR_MGファイルは、先頭から順に、高精細ビデオレコーディングマネージャ（HDVR_MGI）と、ムービーＡＶファイル情報テーブル（M_AVFIT）と、ストリームファイル情報テーブル（STR_FIT）と、オリジナルプログラムチェーン情報（ORG_PGCI）と、ユーザ定義プログラムチェーン情報テーブル（UD_PGCIT）と、テキストデータマネージャ（TXTDT_MG）と、製造業者情報テーブル（MNFIT）等を適宜含んで構成されている。MPEG2-TSのオブジェクト（ＳＲＯファイル）はSTR_FITにより管理され、MPEG2-PSのオブジェクト（ＶＲＯファイル）はM_AVFITにより管理される。
【００１９】
M_AVFITは、先頭から順に、ムービーＡＶファイル情報テーブル情報（M_AVFITI）と、１以上のムービービデオオブジェクトストリーム情報（M_VOB_STI#1〜M_VOB_STI#n）と、ムービーＡＶファイル情報（M_AVFI）と、ビデオタイムマップテーブル（VTMAPT）等を適宜含んで構成されている。ここで、従来のDVD-VR規格におけるM_AVFITはVTMAPTを含まない。そのため、同じMPEG2-PSのオブジェクトであっても、その管理情報内のM_AVFITがVTMAPTを含むか否かで、そのMPEG2-PSが従来のDVD-VR規格によるものかHD_DVD-VR規格によるものかを区別できる（オブジェクト情報レベルでなく管理情報レベルでの区別）。
【００２０】
図４は、図３の管理情報（HDVR_MG/M_AVFIT）に含まれるM_AVFITI（Movie AV File Information Table Information）に格納される情報例を説明する図である。M_AVFITIは、先頭から順に、M_AVFIがいくつ存在するかを示す情報（M_AVFI_Ns）と、M_VOB_STIがいくつ存在するかを示す情報（M_VOB_STI_Ns）と、HR_MANGR.IFO（図２）内におけるM_AVFITの終了アドレス情報（M_AVFIT_EA）等を適宜含んで構成されている。
【００２１】
図５は、図３の管理情報（HDVR_MG/M_AVFIT）に含まれるM_VOB_STI（Movie VOB Stream Information）各々に格納される情報例を説明する図である。は、先頭から順に、ビデオ属性情報（V_ATR）と、オーディオストリームがいくつ存在するかを示す情報（AST_Ns）と、副映像ストリームがいくつ存在するかを示す情報（SPST_Ns）と、ストリーム＃０のオーディオ属性情報（A_ATR0）と、ストリーム＃１のオーディオ属性情報（A_ATR1）と、副映像のカラーパレット情報（SP_PLT）等を適宜含んで構成されている。
【００２２】
図６は、図５のM_VOB_STIに含まれるビデオ属性情報（V_ATR）に格納される情報例を説明する図である。この情報例は、DVD-VR規格には存在せずHD_DVD-VR規格の場合にだけ存在する情報を含んでいる。V_ATRは、b31位置からb0位置に向かって順に、ビデオ圧縮モード情報（Video compression mode）と、ＴＶシステム情報（TV system）と、アスペクト比情報（Aspect ratio）と、ライン２１切替情報（line21_switch_1, line21_switch_2）と、ソースピクチャプログレッシブモードの情報（Source picture progressive mode）と、ソースピクチャ解像度の情報（Source picture resolution）と、アプリケーションフラグ情報（Application Flag）等を適宜含んで構成されている。
【００２３】
ここで、HD_DVD-VR規格の場合は、Video compression modeが、MPEG4-AVCであることを示す情報（010b）またはVC-1であることを示す情報（011b）を含むことができる。MPEG4-AVCもVC-1もDVD-VR規格にはないビデオ圧縮モードなので、同じMPEG2-PSのオブジェクトであっても、Video compression modeがMPEG4-AVCまたはVC-1を示す情報（010bまたは011b）を含むか否かで、そのMPEG2-PSが従来のDVD-VR規格によるものかHD_DVD-VR規格によるものかを区別できる（オブジェクト情報レベルでなく管理情報レベルでの区別）。
【００２４】
また、HD_DVD-VR規格の場合は、TV systemが、60Hzビデオシステム用拡張ビデオフォーマット（NTSCフォーマットにダウンコンバートできるもの）であることを示す情報（010b）または50Hzビデオシステム用拡張ビデオフォーマット（PALフォーマットにダウンコンバートできるもの）であることを示す情報（011b）を含むことができる。60Hzビデオシステム用拡張ビデオフォーマットも50Hzビデオシステム用拡張ビデオフォーマットもDVD-VR規格にはないTV systemなので、同じMPEG2-PSのオブジェクトであっても、TV systemが60Hz/50Hzビデオシステム用拡張ビデオフォーマットを示す情報（010bまたは011b）を含むか否かで、そのMPEG2-PSが従来のDVD-VR規格によるものかHD_DVD-VR規格によるものかを区別できる（オブジェクト情報レベルでなく管理情報レベルでの区別）。
【００２５】
また、HD_DVD-VR規格の場合は、Source picture progressive mode（Source pictureがインターレース画像なのかプログレッシブ画像なのかを示す情報）を含むことができる。Source picture progressive modeはDVD-VR規格にないモードなので、同じMPEG2-PSのオブジェクトであっても、Source picture progressive modeを示す情報を含むか否かで、そのMPEG2-PSが従来のDVD-VR規格によるものかHD_DVD-VR規格によるものかを区別できる（オブジェクト情報レベルでなく管理情報レベルでの区別）。
【００２６】
さらに、HD_DVD-VR規格の場合は、Source picture resolutionが、高精細または高解像度（1280x720〜1920x1080）であることを示す情報（1000b〜1100b）を含むことができる。高精細または高解像度（1280x720〜1920x1080）はDVD-VR規格にない解像度なので、同じMPEG2-PSのオブジェクトであっても、Source picture resolutionが高精細または高解像度を示す情報を含むか否かで、そのMPEG2-PSが従来のDVD-VR規格によるものかHD_DVD-VR規格によるものかを区別できる（オブジェクト情報レベルでなく管理情報レベルでの区別）。
【００２７】
図７は、図５のM_VOB_STIに含まれる第１のオーディオ属性情報（A_ATR0）に格納される情報例を説明する図である。この情報例は、DVD-VR規格には存在せずHD_DVD-VR規格の場合にだけ存在する情報を含んでいる。A_ATR0は、b31位置からb0位置に向かって順に、オーディオコーディングモード情報（Audio coding mode）と、サンプリング周波数情報（fs）と、量子化／ダイナミックレンジ制御情報（Quantization/DRC）と、オーディオチャネル数情報（Number of Audio channels）と、アプリケーションフラグ情報（Application Flag）と、ビットレート情報（Bitrate）等を適宜含んで構成されている。Application Flagが00bのときは、該当オーディオストリームが、Number of Audio channelsで規定されるチャネルモードのオーディオデータを含むことを示す。また、Application Flagが01bのときは、該当オーディオストリームが、マルチチャネルモードまたはモノラルモードまたはデュアルモノラルモードまたはステレオモードのオーディオデータを含むことを示す。
【００２８】
ここで、HD_DVD-VR規格の場合は、Audio coding modeを記述するのに６ビットが割り当てられている。一方、DVD-VR規格の場合は、Audio coding modeが３ビットで記述される。従い、同じMPEG2-PSのオブジェクトであっても、A_ATR0のAudio coding modeを記述するのに何ビット割り当てられているのかを調べることで、そのMPEG2-PSが従来のDVD-VR規格によるものかHD_DVD-VR規格によるものかを区別できる（オブジェクト情報レベルでなく管理情報レベルでの区別）。
【００２９】
図８は、図５のM_VOB_STIに含まれる第２のオーディオ属性情報（A_ATR1）に格納される情報例を説明する図である。この情報例は、DVD-VR規格には存在せずHD_DVD-VR規格の場合にだけ存在する情報を含んでいる。A_ATR0の場合と同様に、A_ATR1は、b31位置からb0位置に向かって順に、オーディオコーディングモード情報（Audio coding mode）と、サンプリング周波数情報（fs）と、量子化／ダイナミックレンジ制御情報（Quantization/DRC）と、オーディオチャネル数情報（Number of Audio channels）と、アプリケーションフラグ情報（Application Flag）と、ビットレート情報（Bitrate）等を適宜含んで構成されている。
【００３０】
ここで、HD_DVD-VR規格の場合はAudio coding modeを記述するのに６ビットが割り当てられているが、DVD-VR規格の場合はAudio coding modeが３ビットで記述される。従い、同じMPEG2-PSのオブジェクトであっても、A_ATR1のAudio coding modeを記述するのに何ビット割り当てられているのかを調べることで、そのMPEG2-PSが従来のDVD-VR規格によるものかHD_DVD-VR規格によるものかを区別できる（オブジェクト情報レベルでなく管理情報レベルでの区別）。
【００３１】
図９は、図１のＶＲオブジェクトを構成するデータ単位（EVOBU）のパック構造例を説明する図である。例えば図１（ｆ）のEVOBUには、先頭のＲＤＩパックに続いて、種々なパック（ビデオパック、オーディオパック、副映像パック、一般制御情報パック等）が含まれる。各パックの構造は図９のようになっており、そのPack header内にprogram_mux_rateが含まれている。
【００３２】
図１０は、図９のPack headerに含まれる情報例を説明する図である。この情報例は、DVD-VR規格には存在せずHD_DVD-VR規格の場合にだけ存在する情報（HD_DVD-VR規格で認められる高ビットレート30.24Mbpsを含むprogram_mux_rate）を含んでいる。HD_DVD-VR規格の下で10.08Mbps以下のレートでMPEG2-PSのエンコードが行われたときは、このMPEG2-PS のストリーム情報を含むパックのヘッダ内program_mux_rateには、10.08Mbpsを示す“0189C3”が記述される。
【００３３】
一方、HD_DVD-VR規格の下で10.08Mbpsを超えるレートでMPEG2-PSのエンコードが行われたときは、このMPEG2-PS のストリーム情報を含むパックのヘッダ内program_mux_rateには、30.24Mbpsを示す“049D43h”が記述される。この“program_mux_rate”の記述内容により、そのMPEG2-PSがHD_DVD-VR規格内でDVD-VR規格に適合するものか（program_mux_rate = 10.08Mbpsを示す“0189C3”）HD_DVD-VR規格によるものか（program_mux_rate = 30.24Mbpsを示す“049D43h”）を区別できる（管理情報レベルでなくオブジェクト情報レベルでの区別）。
【００３４】
図１１は、図９のパックの一部として存在するビデオパケットのヘッダに含まれる情報の一例（MPEG1、MPEG2、またはMPEG4-AVCの場合）を説明する図である。この情報例は、DVD-VR規格には存在せずHD_DVD-VR規格の場合にだけ存在する情報を含んでいる。MPEG1、MPEG2、またはMPEG4-AVCのビデオパケットヘッダには、stream_id、PES_scrambling_control、P-STD_buffer_size等の情報が含まれている。
【００３５】
HD_DVD-VR規格の場合では、PES_scrambling_controlには該当パックが暗号化されたパック（Encrypted Pack）であるか否かを示す情報が含まれている。従い、同じMPEG2-PSのオブジェクトであっても、Encrypted Packであるか否かを示す情報の有無により、そのMPEG2-PSがHD_DVD-VR規格内でDVD-VR規格に適合するものかHD_DVD-VR規格によるものかを区別できる（管理情報レベルでなくオブジェクト情報レベルでの区別）。
【００３６】
また、HD_DVD-VR規格の場合では、stream_idに、MPEG4-AVCであるか否かを示す情報を記述できるようになっている。従い、同じMPEG2-PSのオブジェクトであっても、stream_idがMPEG4-AVCを示す記述を含んでいるか否かにより、そのMPEG2-PSがHD_DVD-VR規格内でDVD-VR規格に適合するものかHD_DVD-VR規格によるものかを区別できる（管理情報レベルでなくオブジェクト情報レベルでの区別）。
【００３７】
さらに、HD_DVD-VR規格の場合では、P-STD_buffer_sizeに、MPEG4-AVCの場合に用いるバッファサイズ（標準で946176バイト、拡張で1851392バイト）を記述できるようになっている。従い、同じMPEG2-PSのオブジェクトであっても、P-STD_buffer_sizeがMPEG4-AVC用のバッファサイズを示す記述を含んでいるか否かにより、そのMPEG2-PSがHD_DVD-VR規格内でDVD-VR規格に適合するものかHD_DVD-VR規格によるものかを区別できる（管理情報レベルでなくオブジェクト情報レベルでの区別）。
【００３８】
図１２は、図９のパックの一部として存在するビデオパケットのヘッダに含まれる情報の他例（VC-1の場合）を説明する図である。この情報例は、DVD-VR規格には存在せずHD_DVD-VR規格の場合にだけ存在する情報を含んでいる。VC-1のビデオパケットヘッダには、stream_id、PES_scrambling_control、P-STD_buffer_size等の情報が含まれている。
【００３９】
HD_DVD-VR規格の場合では、VC-1の場合でも、PES_scrambling_controlには該当パックが暗号化されたパック（Encrypted Pack）であるか否かを示す情報が含まれている。従い、同じMPEG2-PSのオブジェクトであっても、Encrypted Packであるか否かを示す情報の有無により、そのMPEG2-PSがHD_DVD-VR規格内でDVD-VR規格に適合するものかHD_DVD-VR規格によるものかを区別できる（管理情報レベルでなくオブジェクト情報レベルでの区別）。
【００４０】
また、HD_DVD-VR規格の場合では、stream_idに、VC-1であるか否かを示す情報を記述できるようになっている。従い、同じMPEG2-PSのオブジェクトであっても、stream_idがVC-1を示す記述を含んでいるか否かにより、そのMPEG2-PSがHD_DVD-VR規格内でDVD-VR規格に適合するものかHD_DVD-VR規格によるものかを区別できる（管理情報レベルでなくオブジェクト情報レベルでの区別）。
【００４１】
さらに、HD_DVD-VR規格の場合では、VC-1の場合でも、P-STD_buffer_sizeに、VC-1の場合に用いるバッファサイズ（標準で946176バイト、拡張で1851392バイト）を記述できるようになっている。従い、同じMPEG2-PSのオブジェクトであっても、P-STD_buffer_sizeがVC-1用のバッファサイズを示す記述を含んでいるか否かにより、そのMPEG2-PSがHD_DVD-VR規格内でDVD-VR規格に適合するものかHD_DVD-VR規格によるものかを区別できる（管理情報レベルでなくオブジェクト情報レベルでの区別）。
【００４２】
図１３は、図１のＶＲオブジェクトを構成するデータ単位（EVOBU）の先頭に配置されるＲＤＩパック（RDI＿PCK）の構造例を説明する図である。例えば図１（ｆ）の各EVOBUには、先頭にＲＤＩパックが配置されている。このＲＤＩパックは、パックヘッダとシステムヘッダとGeneral Control Informationパケット（GCI_PKT）とReal-time Data Informationパケット（RDI_PKT）、そして末尾に適宜パディングパケットを含んで構成されている。
【００４３】
図１４は、図１３のＲＤＩパックのシステムヘッダに含まれる情報例を説明する図である。この情報例は、DVD-VR規格には存在せずHD_DVD-VR規格の場合にだけ存在する情報を含んでいる。このＲＤＩパックは、HD_DVD-VR規格での上限であるmux_rate = 30.24Mbps、あるいはHD_DVD-VR規格内でDVD-VR規格に適合するmux_rate = 10.08Mbpsのいずれかを示すrate_boundを含んで構成されている。この“rate_bound”の記述内容により、そのMPEG2-PSがHD_DVD-VR規格内でDVD-VR規格に適合するものかHD_DVD-VR規格によるものかを区別できる（管理情報レベルでなくオブジェクト情報レベルでの区別）。
【００４４】
図１５は、この発明の一実施の形態に係る記録再生装置（HD_DVDレコーダ）の構成例を説明するブロック図である。衛星デジタルＴＶ放送、地上デジタルＴＶ放送、および地上アナログＴＶ放送の受信機能を持つTV tuner１０のアナログＡＶ出力は、Video ADC１４およびAudio ADC１６に入力される。外部アナログ入力端子１２からのアナログＡＶ入力もまた、Video ADC１４およびAudio ADC１６に入力される。Video ADC１４でデジタル化されたビデオストリームおよびAudio ADC１６でデジタル化されたオーディオストリームはMPEG Encoder２０に入力される。外部デジタル入力端子１８からのデジタルストリーム（MPEG2-TS等）は、IEEE1394（あるいはHDMI）等のインターフェース１９を介して、MPEG Encoder２０に入力される。図示しないが、TV tuner１０からのデジタルストリーム（MPEG2-TS等）も適宜MPEG Encoder２０に入力される。MPEG Encoder２０は、入力されたMPEG2-TSをパススルーする場合以外は、入力されたストリームをMPEG2-PSにエンコードするか、MPEG4-AVCにエンコードする。
【００４５】
ここで、MPEG2-PSにエンコードする場合としては、DVD-VR規格に基づきMPEG2-PSにエンコードする場合（最大レート10.08Mbps；最大解像度720x480または720x576）と、HD_DVD-VR規格に基づきMPEG2-PSに高レートエンコードする場合（最大レート30.24Mbps；最大解像度1920x1080）と、HD_DVD-VR規格の枠内でMPEG2-PSに低レートエンコードする場合（最大レート10.08Mbps；最大解像度720x480または720x576）がある。
【００４６】
MPEG Encoder２０でエンコードされ（またはパススルーした）ストリームデータは、SDRAM（Synchronous Dynamic Random Access Memory）２２等の高速メモリに一旦バッファリングされる。このSDRAM２２上で、下記の１〜３のストリーム書き換え処理が適宜行われる：
1.AudioがLiner PCMである場合、Audio Packのsub_stream_idの値を書き換える；
2.RDI-PCKの記載内容を書き換える；
3.一度CPRMの暗号を復号し、AACSに再暗号化を行う、もしくはその逆を行う。
【００４７】
SDRAM２２にバッファリングされそこで処理されたストリームデータは、その内容に応じて、所定のタイミングでＨＤＤ１０４かHD_DVD Drive２６かDVD Drive２８に転送される。ＨＤＤ１０４としては大容量ハードディスクドライブ（例えば１ＴＢ）が用いられる。また、HD_DVD Drive２６には青色レーザ（例えば波長λ=405nm）が用いられ、DVD Drive２８には赤色レーザ（例えば波長λ=650nm）が用いられる。
【００４８】
HD_DVD Drive２６およびDVD Drive２８はDrive Unit２４を構成している。Drive Unit２４は、回転駆動系を含めて独立した２基のドライブを備えている場合と、回転駆動系が共通で青色レーザの光ヘッドと赤色レーザの光ヘッドを個別に有するHD_DVD/DVDコンパチブルドライブ（ツインピックアップタイプ）を備えている場合と、回転駆動系および光ヘッドの機構が共通で青色レーザまたは赤色レーザを切替使用する２波長光学系を有する場合（シングルピックアップタイプ）がある。図１５の実施の形態では、回転駆動系を含めて独立した２基のDrive２６およびDrive２８がある場合を例示している。これらのドライブで使用される情報記憶媒体（青色レーザ用光ディスク１００、赤色レーザ用光ディスク１０２）としては、青色レーザ使用の場合も赤色レーザ使用の場合も、-R/−RW/RAMタイプの光ディスクの他に、+R/+RWタイプの光ディスクが利用可能である。将来的には、ホログラムを利用した大容量光ディスクを用いることも可能である。
【００４９】
HD_DVD Drive２６はHD_DVD-VR規格に基づく記録再生に対応し、DVD Drive２８はDVD-VR規格に基づく記録再生に対応している。DVD Drive２８はさらに、HD_DVD-VR規格に基づきエンコードされたデータであっても、最大レートやビデオ属性等がDVD-VR規格の枠内に収まるMPEG-PSのデータについては、DVD-VR規格のディスク（片面１層のDVD-R/RW/RAM、片面２層のDVD-R、両面各１層のDVD-RAM等）１０２を用いて等速または高速で記録再生することができるように構成されている。（具体例を挙げれば、最大レート10.08MbpsでＨＤＤ１０４に記録されたNTSCのビデオのMPEG2-PSデータは、それがHD_DVD-VR規格に基づきエンコードされたデータであっても、DVD-VR規格のディスク１０２に高速コピー／高速ダビングできるように構成される。言うまでもないが、このHD_DVD-VR規格に基づきエンコードされたMPEG2-PSデータは、HD_DVD-VR規格のディスク１００にも高速コピー／高速ダビングできる。）
HD_DVD Drive２６、DVD Drive２８、および／またはＨＤＤ１０４から再生されたストリームデータは、SDRAM２２を介してMPEG Decoder３０に転送される。MPEG Decoder３０は、転送されてきたストリームに応じて、MPEG2-TSをデコードする機能、MPEG2-PSをデコードする機能、MPEG4-AVCをデコードする機能、その他のデコード機能（例えばHD_DVD-VR規格で定められているVC-1をデコードする機能）を備えている。MPEG Decoder３０でデコードされたビデオデータ（MPEG2-TSまたはMPEG2-PS）はVideo DAC３２により標準画質または高精細画質のアナログビデオ信号に変換されてVideo Out端子３６から出力される。また、MPEG Decoder３０でデコードされたオーディオデータはAudio DAC３４によりアナログオーディオ信号に変換されてAudio Out端子３８から出力される。さらに、デコードされたデータがMPEG2-TSの場合は、適宜、IEEE1394（あるいはHDMI）等のインターフェース３７を介してDigital Out端子３９から外部出力される。MPEG Decoder３０でデコードされDAC３２、３４でＤ／Ａ変換されたＡＶ信号（アナログビデオ信号およびアナログオーディオ信号）は、外部モニタに入力される。
【００５０】
図１５の記録再生装置（HD_DVDレコーダ）の動作は、ＭＰＵ４０により制御される。ＭＰＵ４０にはファームウエアや種々な制御パラメータを格納するＥＥＰＲＯＭ４２、ワークＲＡＭ４４、タイマ４６等が付属している。ＭＰＵ４０のファームウエアの中身としては、グラフィックユーザインターフェースを提供するＧＵＩ表示制御部４００、エンコードパラメータ検出処理部４０２、高速コピー（高速ダビング）処理部４０４、レート変換コピー（等速コピー／等速ダビング）制御部４０６、記録／再生制御部（管理情報処理部）等がある。ＧＵＩ表示制御部４００の処理結果は、オンスクリーン表示部（ＯＳＤ）５０を介して外部モニタにて画面表示される（タイトルサムネールの表示画面５２ａ、コピー処理時のダイアログボックス表示画面５２ｂ等はＯＳＤ５０の処理で得ることができる）。
【００５１】
図１５の実施の形態において、ＨＤＤ１０４については、１台の超大容量ＨＤＤ（例えば１ＴＢ）でも、複数の大容量ＨＤＤの併用（例えば５００ＧＢ＋５００ＧＢ）でもよい。また、ＨＤＤの記録エリアの使い方としては、その記録エリアを論理的に複数パーティションに分けて使用する場合と、物理的なＨＤＤ毎に用途を特定する場合がある。前者の場合としては、例えば１ＴＢのうち４００ＧＢの第１パーティションをデジタル高精細放送のMPEG2-TS記録用（ＴＳタイトル用）に割り当て、４００ＧＢの第２パーティションをデジタル高精細放送のMPEG4-AVC記録用（ＨＤＶＲタイトル用）に割り当て、２００ＧＢの第３パーティションをアナログ放送またはデジタル放送もしくは外部入力のMPEG2-PS記録用（ＶＲタイトル用）に割り当てるなどが考えられる。また、後者の場合としては、例えば第１の４００ＧＢＨＤＤをMPEG2-TS記録用（ＴＳタイトル用）に割り当て、第２の４００ＧＢＨＤＤをMPEG4-AVC記録用（ＨＤＶＲタイトル用）に割り当て、第３の２００ＧＢＨＤＤをMPEG2-PS記録用（ＶＲタイトル用）に割り当てるなどが考えられる。
【００５２】
なお、この発明の一実施の形態では、ＶＲタイトルには、現行のDVD-VR規格によるMPEG2-PS記録の他に、次世代HD_DVD規格において最大レートを10.08Mbpsに抑えたMPEG2-PS記録も含まれる。あるＶＲタイトルのストリームデータがDVD-VR規格によるMPEG2-PSなのかHD_DVD規格において最大レートを10.08Mbpsに抑えたMPEG2-PSなのかの区別は、オブジェクトデータレベルでは、例えば図１０の“program_mux_rate”の記述内容が「10.08Mbps」なのか「30.24Mbps」なのかで行うことができる。また、管理情報レベルでは、そのタイトルの再生開始前に、例えば図６の“V_ATR”が現行DVD-VR規格ではあり得ない解像度（例えば1280x1080）を含んでいるかどうかで行うことができる。
【００５３】
前述した複数種類のタイトル（ＴＳタイトル、ＨＤＶＲタイトル、ＶＲタイトル）は、この発明の一実施の形態では、図２に例示するように同じディレクトリ内でファイル管理される。そのため、複数種類のタイトル（ＴＳタイトル、ＨＤＶＲタイトル、ＶＲタイトル）のアイコンまたはサムネールを同一画面５２ａ上で表示できる。このことから、ユーザは、複数タイトルの各々がどんな規格（HD_DVD-VR、DVD-VR等）のどのような状況下で録画されたものでも（最大レートが10.08MbpsのHD_DVD-VR録画、最大レートが10.08MbpsのDVD-VR録画等）、それらを同様に操作できる。
【００５４】
図１６は、この発明の一実施の形態に係る記録再生装置（HD_DVDレコーダ）の動作例（コピーまたはダビング処理）を説明するフローチャート図である。ここでは、DVD-VR規格のフォーマット（DVD Video Recording Format）とHD_DVD-VR規格のフォーマット（HD_DVD Video Recording Format）の両方のフォーマットでＡＶ情報の読み書きが可能なＤＶＤレコーダ（図１５の記録再生装置等）において、両フォーマット間でコンテンツを相互にコピー（あるいはダビング）する場合について説明する。とくに、図１５のＨＤＤ１０４（あるいは青色レーザ用光ディスク１００）に一旦記録されたコンテンツを、光ディスク１００あるいは１０２へ、DVD-VR規格と再生互換のあるフォーマットで高速コピー（高速ダビング）する場合にウエイトをおいて説明する。
【００５５】
ここで、ＤＶＤレコーダにおけるコンテンツの高速コピーとは、ＭＰＥＧ圧縮されているデータをデコードしてから再エンコードするのではなく、データ変更作業は伴うにしても基本的にはデータをそのままコピーすることによりコンテンツの複製を行うことをいう。また１回のみコピーが許されたコピーワンスコンテンツの場合は、第１回目のコピー（最初の録画）の後にコピー禁止となったコンテンツ（コピー元コンテンツ）の管理情報を削除することによって、コンテンツのムーブを実現する。
【００５６】
図１６のフローチャートに対応する制御は、図１５のＭＰＵ４０のファームウエアが実行する。図１６の処理において、図示しないリモコン等でユーザが例えば図１５のＨＤＤ１０４に録画済みのタイトルの表示を指示すると、再生可能なタイトルのサムネールが、図１５の画面５２ａのように画面表示される（ＳＴ１０）。この画面表示にはコピー可能なタイトルと再生およびムーブは可能だがコピーが禁止されたタイトルが含まれ得る。図１５の表示画面５２ａでは、コピー可能なタイトルとしてタイトルＡ、Ｂが例示され、コピー禁止（再生またはムーブのみ可能）のタイトルとしてタイトルＣ、Ｄが例示されている。この画面表示は、図１５のＭＰＵ４０のファームウエア（ＧＵＩ表示制御部４００）が処理する。
【００５７】
ここで、コピーフリーのＶＲタイトルＢのMPEG2-PSデータは光ディスク１００または１０２へ高速コピーまたはレート変換でコピー（等速）またはムーブが可能である。コピーフリーのＨＤＶＲタイトルＡのMPEG2-PSデータのうち、最大レートが10.08Mbpsのデータは光ディスク１００または１０２へ高速コピーまたはレート変換でコピー（等速）またはムーブが可能である。コピーフリーのＨＤＶＲタイトルＡのMPEG2-PSデータのうち、最大レートが30.24Mbpsのデータは光ディスク１００へ高速コピーまたはレート変換でコピー（等速）またはムーブが可能である。
【００５８】
録画前はコピーワンスであったコンテンツをHD_DVD-VRフォーマットでＨＤＤ１０４に録画したタイトルＣはコピー禁止タイトルとなっている。このコピー禁止ＨＤＶＲタイトルＣのデータ（MPEG2-PS以外にMPEG4-AVCやVC1も含まれる）は、高速コピーもレート変換コピーもできないが、所定のコピー管理方式（CPRMやAACS等）に対応したディスク１００または１０２へのムーブは可能となっている。また、録画前はコピーワンスであったコンテンツをMPEG2-TSでＨＤＤ１０４に録画したタイトルＤもコピー禁止タイトルとなっている。このコピー禁止ＴＳタイトルＤのデータは、高速コピーもレート変換コピーもできないが、所定のコピー管理方式（CPRMやAACS等）に対応したディスク１００または１０２への再エンコードムーブは可能となっている。
【００５９】
ユーザが所望のタイトルのサムネールをリモコンのカーソル操作で選択し、リモコンのキー操作で選択されたタイトルの高速コピー（高速ダビング）を指示すると（ＳＴ１２）、選択されたタイトルの録画に用いられた規格（フォーマット）がその管理情報から確認される（ＳＴ１４）。具体的には、選択されたタイトルが図２のHDVR_VOBディレクトリのファイルに該当すればそのタイトルのフォーマットはHDVR（HD_DVD-VR規格内）であると判定される。選択されたタイトルが図２のHDVR_SOBディレクトリのファイルに該当すればそのタイトルのフォーマットはTS（HD_DVD-VR規格内）であると判定される。選択されたタイトルが図２のDVD_RTAVディレクトリのファイルに該当すればそのタイトルのフォーマットはVR（DVD-VR規格内）であると判定される。この判定は、図１５のＭＰＵ４０のファームウエア（管理情報処理部４０８）が処理する。
【００６０】
ＳＴ１４の判定結果がＴＳ録画タイトルであれば、そのストリームをレート変換しMPEG2-PSに再エンコードして、例えば図１５の光ディスク１００または１０２へ、HD_DVD-VR規格またはDVD-VR規格で、等速コピーまたは等速ムーブする（ＳＴ１６）。これは、図１５のＭＰＵ４０のファームウエア（レート変換（等速）コピー制御部４０６）が処理する（その録画タイトルがコピー禁止のときはムーブ処理のみ可能）。
【００６１】
ＳＴ１４の判定結果がＶＲ録画タイトルであれば、そのストリームを再エンコードすることなく、そのまま、例えば図１５の光ディスク１０２へ、DVD-VR規格で、高速コピーまたは高速ムーブする（ＳＴ１８）。なお、ユーザが希望すれば、ＶＲ録画タイトルのストリームをレート変換しMPEG2-PSに再エンコードして、例えば図１５の光ディスク１０２へDVD-VR規格で等速コピーまたは等速ムーブすることもできる（ＳＴ１８）。これらは、図１５のＭＰＵ４０のファームウエア（高速コピー処理部４０４またはレート変換（等速）コピー制御部４０６）が処理する。
【００６２】
ＳＴ１４の判定結果がＨＤＶＲ録画タイトルであれば、そのオブジェクトのストリームデータがMPEG2-PSであるかどうかチェックされる（ＳＴ２０）。このチェックは、例えば図６のビデオ属性（V_ATR）内の“Video compression mode”を見ることで行うことができる。このチェックは、図１５のＭＰＵ４０のファームウエア（エンコードパラメータ検出処理部４０２）が処理する。
【００６３】
チェックされたオブジェクトのストリームデータがMPEG2-PSでなくMPEG4-AVCあるいはVC-1であれば（ＳＴ２０ノー）、DVD-VRフォーマットに変換（再エンコード）してコピーまたはムーブするかどうかをユーザに問い合わせる（ＳＴ２１）。DVD-VRフォーマットに変換してコピーまたはムーブする場合は（ＳＴ２１イエス）、そのストリームをDVD-VR規格のMPEG2-PSに再エンコードして、例えば図１５の光ディスク１０２へDVD-VR規格で等速コピーまたは等速ムーブする（ＳＴ２２）。これらは、図１５のＭＰＵ４０のファームウエア（レート変換（等速）コピー制御部４０６）で処理できる。DVD-VRフォーマットに変換しない（再エンコードしない）場合は（ＳＴ２１ノー）、後述するＳＴ４６の処理へ移行する。
【００６４】
ＳＴ２０のチェック結果がMPEG2-PSであれば（ＳＴ２０イエス）、DVD-VR規格と再生互換のあるフォーマットで高速コピーまたは高速ムーブを行う処理に入る。この処理に入ると、ディスク１００またはＨＤＤ１０４から、コピー（またはムーブ）対象のタイトルのストリームデータを、ビデオオブジェクトユニット（VOBU：図１(f)ではEVOBU）単位でSDRAM２２に読み込む（ＳＴ３２）。このビデオオブジェクトユニットの先頭のＲＤＩパック（図１(g)または図１３）からsystem header（図１４）を読み取ると、その中に「mux_rate = 30.24Mbps」または「mux_rate = 10.08Mbps」が記述された“rate_bound”という最大レートに関する情報がある（ＳＴ３４）。
【００６５】
“rate_bound”が「mux_rate = 10.08Mbps」を示しているときは（ＳＴ３６イエス）、ＨＤＤ１０４あるいは光ディスク１０２（ディスク１００でも可）へ該当ビデオオブジェクトユニットのパック（図１(g)の１４４〜１４６等）を高速（例えば８倍速）で書き込む（ＳＴ３８）。この高速書き込み処理は、未コピー（または未ムーブ）のビデオオブジェクトユニットがある間（ＳＴ４０ノー）は反復される。
【００６６】
“rate_bound”が「mux_rate = 30.24Mbps」を示すときは（ＳＴ３６ノー）、再エンコードせずにDVD-VRフォーマット内のMPEG2-PSを得ることはできない（つまり高速コピーも高速ムーブもできない）ので、現在行おうとしている高速コピー（または高速ムーブ）を中止する旨のダイアログ（図１５の表示例５２ｂ参照）を表示する（ＳＴ４６）。このダイアログと同じ画面の下部には、それまでに実行された高速コピー（または高速ムーブ）済みのオブジェクト部分の再生時間がタイムバー形式で表示されている（図１５の表示例５２ｂ参照）。コピー中止のダイアログは一定時間経過後、タイムバーとともに消失する。その後は、その時点でactiveとなっているＴＶチャネル（図１５のTV Tuner１０の受信チャネル）または外部入力（図１５のアナログ入力端子１２へのＡＶ入力）のビデオ出力が図１５の出力端子３６、３８から出力される（ＳＴ４８）。また、コピーまたはムーブが完結しないでコピーまたはムーブが中止されたので、コピー元の管理情報（図３等）はたとえムーブであっても元のまま残し、コピー先の管理情報は作成ぜずに処理を終了する（ＳＴ５０）。
【００６７】
“rate_bound”が「mux_rate = 10.08Mbps」（ＳＴ３６イエス）のまま最後のビデオオブジェクトユニットまでコピー（またはムーブ）のが済むと（ＳＴ４０イエス）、その時点でactiveとなっているＴＶチャネル（図１５のTV Tuner１０の受信チャネル）または外部入力（図１５のアナログ入力端子１２へのＡＶ入力）のビデオ出力が図１５の出力端子３６、３８から出力される（ＳＴ４２）。また、コピーまたはムーブが完結したので、コピー先へ管理情報を書き込んでから、コピー元の管理情報（図３等）をコピーなら残しムーブなら消去し、処理を終了する（ＳＴ４４）。
【００６８】
図１７は、図３の管理情報（HDVR_MG/M_AVFIT/M_AVFI）に含まれるM_VOBI（Movie Video Object Information）に格納される情報例を説明する図である。このM_VOBIは、M_AVFIの一般情報（M_AVFI_GI）と、１以上存在し得るM_VOBI#1〜#nとそのサーチポインタM_VOBI_SRP#1〜#nを含んで構成されている。各M_VOBI（例えばM_VOBI_SRP#nで検索されるM_VOBI#n）は、M_VOBの一般情報（M_VOB_GI）と、シームレス情報（SMLI）と、オーディオギャップ情報（AGAPI）と、VOBタイムマップ情報（VOB_TMAPI）を含んで構成されている。
【００６９】
図１８は、図１７のM_VOBIに含まれるM_VOB_GI（Movie Video Object General Information）に格納される情報例を説明する図である。このM_VOB_GIは、該当VOBがどんなタイプのVOBかを記述したVOB_TYと、そのVOBの先頭ビデオデータが何時記録されたのかの時間を記述したVOB_REC_TMと、このVOB_REC_TMのsub-second情報をビデオシステムの時間単位（NTSCでは1/60秒単位；PALでは1/50秒単位）記述したVOB_REC_TM_SUBと、M_VOBのストリーム情報番号を記述したM_VOB_STINと、該当VOBの最初のビデオフィールド（またはビデオフレーム）の再生開始時間（PTSとして符号化されている）を記述したVOB_V_S_PTMと、そのVOBの最後のビデオフィールド（またはビデオフレーム）の再生開始時間を記述したVOB_V_E_PTMと、該当VOBのオリジナルを記録した領域のタイムゾーンを記述したLOCAL_TM_ZONEと、記録内容の保護（著作権保護あるいはコピー制御）のための情報を記述する領域などを含んで構成されている。
【００７０】
図１９は、図１８のM_VOB_GIに含まれるVOB_TY（Video Object Type）に格納される情報例を説明する図である。このVOB_TYは、TEと、AO_STASUSと、A1_STASUSと、MUX_RATEと、SML_FLGと、AO_GAP_LOCと、A1_GAP_LOCと、SML_EX_FLGなどを含んで構成されている。ここで、TEには、該当VOBが仮消去状態にあるか否かを示す仮消去フラグが記述される。A0_STATUSには、該当VOBが作成されたときにオリジナルオーディオストリームとして記録されたAudio stream#0が修正されているか否かが記述される。A1_STATUSには、該当VOBが作成されたときにオリジナルオーディオストリームとして記録されたAudio stream#1が修正されているか否か、あるいはそのVOBが作成されたときにオーディオダビング用にダミーオーディオストリームが記録されそのダミーオーディオストリームが修正されているか否か（つまりオーディオダビングが行われたか否か）が記述される。
【００７１】
MUX_RATEには、該当VOBのprogram_mux_rateが30.24Mbpsであるのか、あるいは10.08Mbpsであるのかを示すフラグが記述される。そのVOBに対応するM_VOB_STI内のTV systemが“000ｂ（NTSC等の60Hzビデオシステム）”あるいは“001ｂ（PAL等の50Hzビデオシステム）”であるときは、図１９のMUX_RATEには10.08Mbpsを示す“0ｂ”が記述される。また、そのVOBに対応するM_VOB_STI内のTV systemが“010ｂ（60Hzビデオシステム用拡張ビデオフォーマット）”あるいは“011ｂ（50Hzビデオシステム用拡張ビデオフォーマット）”であるときは、図１９のMUX_RATEには30.24Mbpsを示す“0ｂ”が記述される。ここで、拡張ビデオフォーマットの代表例として、次世代のHigh Definition DVDがある。
【００７２】
図１７〜図１９のデータ構造の特徴の１つを纏めると、次のようになる。すなわち、M_AVFI（図３）が1以上のM_VOBIを含み、各M_VOBI（図１７）がM_VOB_GIを含み、M_VOB_GI（図１８）がVOB_TYを含み、このVOB_TY（図１９）が図１０と同様にmux_rateを含む。このmux_rateにより（オブジェクトレベルでなく管理情報レベルで）10.08Mbpsと30.24Mbpsの区別ができる。
【００７３】
AO_GAP_LOCには、該当VOBがAudio stream#0に対してオーディオギャップを持たないのか、そのVOBの最初のVOBUにAudio stream#0に対するオーディオギャップがあるのか、そのVOBの２番目のVOBUにAudio stream#0に対するオーディオギャップがあるのか、そのVOBの３番目のVOBUにAudio stream#0に対するオーディオギャップがあるのかが、記述される。
【００７４】
A1_GAP_LOCには、該当VOBがAudio stream#1に対してオーディオギャップを持たないのか、そのVOBの最初のVOBUにAudio stream#1に対するオーディオギャップがあるのか、そのVOBの２番目のVOBUにAudio stream#1に対するオーディオギャップがあるのか、そのVOBの３番目のVOBUにAudio stream#1に対するオーディオギャップがあるのかが、記述される。
【００７５】
SML_FLGには、該当VOBを先行VOBからシームレスに再生する条件を満たしているか否かが記述される。このSML_FLGが“0b”のときはSML_EX_FLGには“0b”が記述される。このSML_FLGが“1b”のときはSML_EX_FLGには次の内容が記述される。すなわち、そのVOBに対応するM_VOB_STI内の“Video compression mode”が“000b（MPEG1）”、“001b（MPEG2）”あるいは“011b（VC-1）”であるときは、SML_EX_FLGには“0b”が記述される。
【００７６】
一方、そのVOBに対応するM_VOB_STI内の“Video compression mode”が“010b（MPEG4-AVC）”を記述しているときは、SML_EX_FLGには次の内容が記述される。すなわち、
SML_EX_FLG=“0b”のときは、SML_EX_FLG=“1b”の条件が満足されない、あるいはSML_EX_FLG=“1b”の条件が満足されるかどうかわからない；
SML_EX_FLG=“1b”のときは、SML_EX_FLG=“1b”の条件が満足され、かつ以下の条件のうちの１つが満足される：
１）該当VOBの最初のピクチャがIDR（Instantaneous Decoder Refresh:デコーダ復号動作の瞬時リフレッシュ）ピクチャであり、かつ、SEQ_END_CODE（シーケンスエンドコード）が先行VOBの末尾に置かれている；
２）先行VOBの最終VOBUと該当VOBUの先頭VOBUが同じビデオシーケンスに連続して属している。この場合は先行VOBの末尾にSEQ_END_CODEは置かない。該当VOBの最初のピクチャがIDRピクチャでないときは、フレーム番号および／またはピクチャ順序カウント等のパラメータが先行VOBと該当VOBとで不連続にならないようにする。
【００７７】
この発明の実施の形態で説明するデータ構造を用いた情報記憶媒体を再生する装置（図１５）は、シームレス再生の振る舞いを決定するにあたり、SML_FLGの他に、SML_EX_FLGを使用するように構成できる。
【００７８】
＜実施の形態の要点＞
HD_DVD-VR規格は、DVD-VR規格を拡張して策定された規格である。このため、特にVideo Object（VOB）に関する部分は共通性が高く、主な相違点は以下の点である：
1.Audio PackのLiner PCMを示すsub_stream_idがDVD-VRとHD_DVD-VRとで値が異なる；
2.RDI-PACKの記載内容が変更されている；
3.スクランブル方法がDVD-VRではCPRMであるが、HD_DVD-VRではAACSになっている；
4.HD_DVD-VRではVideo Packに使用することができるCodecにMPEG4-AVCとVC-1が追加されている；
5.Pack headerのprogram_mux_rateの値がDVD-VRでは10.08MbpsであるがHD_DVD-VRでは最大30.24Mbpsになっている。
【００７９】
よって、DVD-VR規格準拠のストリームをHD_DVD-VR規格準拠のストリームに変換して高速にコピーを行う、またはその逆方向のコピーを行うには、上記1〜3の場合はそれぞれ以下の変換処理を行う必要がある。
【００８０】
1.AudioがLiner PCMである場合、Audio Packのsub_stream_idの値を書き換える；
2.RDI-PCKの記載内容を書き換える；
3.一度CPRMの暗号を復号し、AACSに再暗号化を行う、もしくはその逆を行う。
【００８１】
しかし、4.と5.については機械的に変換を行うことができない。すなわち、4.のMPEG4-AVCやVC-1のようにDVD-VR規格では許されていないCodecで符号化されたストリームは、再エンコードを行わなければDVD-VR規格のストリームに変換することはできない。また、MPEG2-PSであっても、DVD-VR規格でPack Headerのprogram_mux_rateの値が10.08Mbps以外は許容されていない。このためHD_DVD-VR規格準拠のディスク上でprogram_mux_rateが30.24Mbpsと記載されたストリームも、再エンコードを行わなければ変換することができない。
【００８２】
後者の場合、機械的にprogram_mux_rateの値を30.24Mbpsから10.08Mbpsに書き換えてしまうという方法も考えられるが、実際のMPEGストリームの最大ビットレートが10.08Mbps以下であることはどこにも記載されていないため、機械的に書き換えただけではDVD-VR規格に違反することになる。
【００８３】
そこで、HD_DVD-VR規格のディスクにVOBを記録するときに、DVD-VR規格の範囲内に収まるストリームであったら、program_mux_rateを10.08Mbpsとして記録を行う。例えばDVD-VR規格のディスクからHD_DVD-VRのディスクにコンテンツのコピーを行う際、program_mux_rateの値は書き換えずにそのままコピーする。またMPEG2 Encoderを用いてHD_DVD-VRのディスクに録画を行う場合も、解像度やビットレートなどのエンコードパラメータがDVD-VR規格の範囲内に収まる場合は、program_mux_rateの値を10.08Mbpsとして記録する。こうすることにより、HD_DVD-VRディスク内のコンテンツがDVD-VRに高速コピー可能であるかを判定することが可能になる。
【００８４】
また、図１５のようにDVD Drive２８とHD_DVD Drive２６を備えた記録再生装置において、HD_DVD Drive２６のHD_DVD-VRディスク１００に記録されたコンテンツを、DVD Drive２８内のDVD-VRディスク１０２にコピーすることを考えてみる。この場合、HD_DVD-VRディスク１００のコンテンツのデータはHD_DVD Drive２６を経由して読み込まれ、この装置のSDRAM２２に展開される。このSDRAM２２上で前述した1〜3のストリーム書き換え処理が行われ、コピー先であるDVD-VRディスク１０２にコピーされる。
【００８５】
しかし、上記の4及び5の条件に当てはまるストリームの場合、DVD-VRディスク１０２に再エンコードせずに高速コピーすることはできない。このため、VOBのCodecがMPEG4-AVCあるいはVC-1である場合（図１６のＳＴ２０ノー）と、MPEG2-PSでもprogram_mux_rateの値が10.08Mbpsでないものを検出したら（図１６のＳＴ３６ノー）、例えば画面上に高速コピーできないことを表示し、あらかじめ高速コピー処理を禁止するようにする（図１６のＳＴ４６）。（ここで、予め高速コピー処理を禁止することは、コピー先がライトワンスのＲタイプディスクの場合に重要である。というのも、高速コピーが始まってから高速コピーできないことが分かってコピー中止となると、それまでＲディスクに書き込まれた部分は無駄になるからである。）
＜まとめ＞
01．DVD-VR規格及びHD_DVD-VR規格の双方のデータを読み書きできる映像録画再生装置において、HD_DVD-VR規格で記録されたコンテンツのうち、MPEG2-PSで記録されたVOBで、さらにPack Headerのprogram_mux_rateの値が10.08Mbpsを示すものは、DVD-VR規格のディスクに高速にコピーを行う機能を備えたコンテンツコピー方法。
【００８６】
02．DVD-VR規格及びHD_DVD-VR規格の双方のデータを読み書きできる映像録画再生装置において、HD_DVD-VR規格で記録されたコンテンツのうち、MPEG2-PS以外で記録されたVOBを含むコンテンツ、及びMPEG2-PSで記録されたVOBでもPack Headerのprogram_mux_rateが10.08Mbps以上を示すものを含むコンテンツは、DVD-VR規格のディスクに高速にコピーを行えないようにするコンテンツコピー方法。
【００８７】
03．DVD-VR規格及びHD_DVD-VR規格の双方のデータを読み書きできる映像録画再生装置において、DVD-VR規格で記録されたコンテンツをHD_DVD-VR規格のディスクにコピーする際、Pack Headerのprogram_mux_rateの値は10.08Mbpsのままにするコンテンツコピー方法。
【００８８】
なお、この発明は前述した実施の形態に限定されるものではなく、現在または将来の実施段階では、その時点で利用可能な技術に基づき、その要旨を逸脱しない範囲で種々に変形することが可能である。たとえば、この発明の実施において利用される情報記憶媒体は、光ディスクあるいはハードディスクドライブだけには限らず、大容量フラッシュメモリ等が利用されてもよい。
【００８９】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００９０】
【図１】この発明の一実施の形態に係るデータ構造例を説明する図。
【図２】この発明の一実施の形態に係るファイル構造例を説明する図。
【図３】この発明の一実施の形態に係る管理情報（HDVR_MG）の構成例を説明する図。
【図４】図３の管理情報（HDVR_MG/M_AVFIT）に含まれるM_AVFITI（Movie AV File Information Table Information）に格納される情報例を説明する図。
【図５】図３の管理情報（HDVR_MG/M_AVFIT）に含まれるM_VOB_STI（Movie VOB Stream Information）各々に格納される情報例を説明する図。
【図６】図５のM_VOB_STIに含まれるビデオ属性情報（V_ATR）に格納される情報例を説明する図。
【図７】図５のM_VOB_STIに含まれる第１のオーディオ属性情報（A_ATR0）に格納される情報例を説明する図。
【図８】図５のM_VOB_STIに含まれる第２のオーディオ属性情報（A_ATR1）に格納される情報例を説明する図。
【図９】図１のＶＲオブジェクトを構成するデータ単位（EVOBU）のパック構造例を説明する図。
【図１０】図９のパックヘッダに含まれる情報例を説明する図。
【図１１】図９のパックの一部として存在するビデオパケットのヘッダに含まれる情報の一例（MPEG1、MPEG2、またはMPEG4-AVCの場合）を説明する図。
【図１２】図９のパックの一部として存在するビデオパケットのヘッダに含まれる情報の他例（VC-1の場合）を説明する図。
【図１３】図１のＶＲオブジェクトを構成するデータ単位（EVOBU）の先頭に配置されるＲＤＩパック（RDI＿PCK）の構造例を説明する図。
【図１４】図１３のＲＤＩパックのシステムヘッダに含まれる情報例を説明する図。
【図１５】この発明の一実施の形態に係る記録再生装置（HD_DVDレコーダ）の構成例を説明するブロック図。
【図１６】この発明の一実施の形態に係る記録再生装置（HD_DVDレコーダ）の動作例（コピーまたはダビング処理）を説明するフローチャート図。
【図１７】図３の管理情報（HDVR_MG/M_AVFIT/M_AVFI）に含まれるM_VOBI（Movie Video Object Information）に格納される情報例を説明する図。
【図１８】図１７のM_VOBIに含まれるM_VOB_GI（Movie Video Object General Information）に格納される情報例を説明する図。
【図１９】図１８のM_VOB_GIに含まれるVOB_TY（Video Object Type）に格納される情報例を説明する図。
【符号の説明】
【００９１】
２０…エンコーダ；２４…光ディスクドライブユニット；２６…青レーザ使用光ディスクドライブ（HD_DVD Drive）；２８…赤レーザ使用光ディスクドライブ（DVD-R/RW/RAM Drive）；３０…デコーダ；４０…制御用マイクロプロセサ（MPU）；４００…グラフィックユーザインターフェース（GUI）表示制御部（ファームウエア）；４０２…エンコードパラメータ検出処理部（ファームウエア）；４０４…高速コピー／高速ダビング処理部（ファームウエア）；４０６…レート変換コピー／レート変換ダビング制御部（ファームウエア）；４０８…記録／再生制御部（管理情報処理部）（ファームウエア）；５０…オンスクリーン表示（OSD）部；５２ａ、５２ｂ…モニタ表示例；１００、１０２…情報記憶媒体（光ディスク）；１０４…情報記憶媒体（ハードディスクドライブ）。
【図１】
2007272994.tif 000003
【図２】
2007272994.tif 000004
【図３】
2007272994.tif 000005
【図４】
2007272994.tif 000006
【図５】
2007272994.tif 000007
【図６】
2007272994.tif 000008
【図７】
2007272994.tif 000009
【図８】
2007272994.tif 000010
【図９】
2007272994.tif 000011
【図１０】
2007272994.tif 000012
【図１１】
2007272994.tif 000013
【図１２】
2007272994.tif 000014
【図１３】
2007272994.tif 000015
【図１４】
2007272994.tif 000016
【図１５】
2007272994.tif 000017
【図１６】
2007272994.tif 000018
【図１７】
2007272994.tif 000019
【図１８】
2007272994.tif 000020
【図１９】
2007272994.tif 000021